(57)【特許請求の範囲】
【請求項１】
一つまたはそれ以上の分周器ユニットの位相を同期させる方法であって、
参照信号を供給するためにマスター分周器ユニットをパワーオン（powering on）することと、
前記マスター分周器ユニットからの前記参照信号に、スレーブ分周器ユニットの位相を同期させることと
を備え、前記同期させることは、前記参照信号を供給するために前記マスター分周器ユニットがパワーオンされた後、前記スレーブ分周器ユニットにパワーオンパルスを供給することと、
デジタル制御発振器を用いて、前記参照信号に前記スレーブ分周器ユニットの前記位相を同期させることと、
前記パワーオンパルスの立ち上がりエッジの後の第１の所定の遅延期間の後、前記スレーブ分周器ユニットをパワーオンすることと
を備え、前記スレーブ分周器ユニットをパワーオンすることは、前記スレーブ分周器ユニットに、動作するに十分な電圧を供給し、
前記方法は、前記同期させることの後、前記スレーブ分周器ユニットが前記参照信号と同期して動作するように前記スレーブ分周器ユニットがパワーオンの状態を維持しているときに、前記マスター分周器ユニットを低電力状態に切り替えることを更に備える方法。
【請求項２】
複数のスレーブ分周器ユニットが設けられ、
前記同期させることは、前記複数のスレーブ分周器ユニットの他の一つまたはそれ以上について実行される、請求項１の方法。
【請求項３】
前記パワーオンパルスの前記立ち上がりエッジの後の前記第１の所定の遅延期間は、前記スレーブ分周器ユニットの全ての分周器要素に電源投入（power up）し、そして前記スレーブ分周器ユニットを前記参照信号に同期させるために必要な期間である、請求項１の方法。
【請求項４】
前記スレーブ分周器ユニットがパワーオンされ、そして前記参照信号に同期されることを確保するため、前記第１の所定の遅延期間の後の第２の所定の遅延期間の後、前記パワーオンパルスをオフさせること、
を更に備える請求項１の方法。
【請求項５】
複数のスレーブ分周器ユニットが設けられ、
前記パワーオンパルスを供給すること、前記位相を同期させること、及び前記スレーブ分周器をパワーオンすることは、前記複数のスレーブ分周器ユニットの他の一つまたはそれ以上について実行される、請求項１の方法。
【請求項６】
前記複数のスレーブ分周器ユニットの一つは、前記マスター分周器ユニットである、請求項２の方法。
【請求項７】
前記スレーブ分周器ユニットは、２分周器ユニット（divide-by-2 divider）である、請求項１の方法。
【請求項８】
前記スレーブ分周器ユニットは、ｎ分周器ユニット（divide-by-n divider）であり、ｎは２より大きい整数である、請求項１の方法。
【請求項９】
一つまたはそれ以上の分周器ユニットの位相を同期させる装置であって、
参照信号を供給するマスター分周器ユニットと、
前記マスター分周器ユニットからの前記参照信号に、その位相を同期させるスレーブ分周器ユニットと、
前記マスター分周器ユニットがパワーオンした後、前記スレーブ分周器ユニットにパワーオンパルスを供給する電源と、
前記参照信号に前記スレーブ分周器ユニットの前記位相を同期させるデジタル制御発振器と、
前記パワーオンパルスの立ち上がりエッジの後の第１の所定の遅延期間の後、前記スレーブ分周器ユニットをパワーオンする電源と、
前記同期の後、前記スレーブ分周器ユニットが前記参照信号と同期して動作するように前記スレーブ分周器ユニットがパワーオンの状態を維持しているときに、前記マスター分周器ユニットを低電力状態に切り替える電源と
を備え、前記スレーブ分周器ユニットをパワーオンする電源は、前記スレーブ分周器ユニットに、動作するに十分な電圧を供給する装置。
【請求項１０】
複数のスレーブ分周器ユニットが設けられ、
前記複数のスレーブ分周器ユニットの他の一つまたはそれ以上は、その位相を、前記マスター分周器ユニットからの前記参照信号に同期させる、請求項９の装置。
【請求項１１】
前記パワーオンパルスの前記立ち上がりエッジの後の前記第１の所定の遅延期間は、前記スレーブ分周器ユニットの全ての分周器要素に電源投入（power up）し、そして前記スレーブ分周器ユニットを前記参照信号に同期させるために必要な期間である、請求項９の装置。
【請求項１２】
前記パワーオンパルスは、前記スレーブ分周器ユニットがパワーオンされ、そして前記参照信号に同期されることを確保するため、前記第１の所定の遅延期間の後の第２の所定の遅延期間の後、オフされる、請求項９の装置。
【請求項１３】
複数のスレーブ分周器ユニットが設けられ、
前記複数のスレーブ分周器ユニットの他の一つまたはそれ以上は、その位相を、前記マスター分周器ユニットからの前記参照信号に同期させる、請求項９の装置。
【請求項１４】
前記複数のスレーブ分周器ユニットの一つは、前記マスター分周器ユニットである、請求項１０の装置。
【請求項１５】
前記スレーブ分周器ユニットは、２分周器ユニット（divide-by-2 divider）である、請求項９の装置。
【請求項１６】
前記スレーブ分周器ユニットは、ｎ分周器ユニット（divide-by-n divider）であり、ｎは２より大きい整数である、請求項９の装置。
【請求項１７】
一つまたはそれ以上の分周器ユニットの位相を同期させる装置であって、
参照信号を供給するためにマスター分周器ユニットをパワーオン（powering on）する手段と、
前記マスター分周器ユニットからの前記参照信号に、スレーブ分周器ユニットの位相を同期させる手段と
を備え、前記同期させる手段は、前記参照信号を供給するために前記マスター分周器ユニットがパワーオンした後、前記スレーブ分周器ユニットにパワーオンパルスを供給する手段と、
デジタル制御発振器を用いて、前記参照信号に前記スレーブ分周器ユニットの前記位相を同期させる手段と、
前記パワーオンパルスの立ち上がりエッジの後の第１の所定の遅延期間の後、前記スレーブ分周器ユニットをパワーオンする手段と
を備え、前記スレーブ分周器ユニットをパワーオンする手段は、前記スレーブ分周器ユニットに、動作するに十分な電圧を供給し、
前記装置は、前記同期の後、前記スレーブ分周器ユニットが前記参照信号と同期して動作するように前記スレーブ分周器ユニットがパワーオンの状態を維持しているときに、前記マスター分周器ユニットを低電力状態に切り替える手段を更に備える装置。
【請求項１８】
複数のスレーブ分周器ユニットが設けられ、
前記同期させる手段は、前記複数のスレーブ分周器ユニットの他の一つまたはそれ以上について実装される、請求項１７の装置。
【請求項１９】
前記パワーオンパルスの前記立ち上がりエッジの後の前記第１の所定の遅延期間は、前記スレーブ分周器ユニットの全ての分周器要素に電源投入（power up）し、そして前記スレーブ分周器ユニットを前記参照信号に同期させるために必要な期間である、請求項１７の装置。
【請求項２０】
前記スレーブ分周器ユニットがパワーオンされ、そして前記参照信号に同期されることを確保するため、前記第１の所定の遅延期間の後の第２の所定の遅延期間の後、前記パワーオンパルスをオフさせる手段、を更に備える請求項１７の装置。
【請求項２１】
複数のスレーブ分周器ユニットが設けられ、
前記パワーオンパルスを供給する手段、前記位相を同期させる手段、及び前記スレーブ分周器をパワーオンする手段は、前記複数のスレーブ分周器ユニットの他の一つまたはそれ以上について実装される、請求項１７の装置。
【請求項２２】
前記複数のスレーブ分周器ユニットの一つは、前記マスター分周器ユニットである、請求項１８の装置。
【請求項２３】
前記スレーブ分周器ユニットは、２分周器ユニット（divide-by-2 divider）である、請求項１７の装置。
【請求項２４】
前記スレーブ分周器ユニットは、ｎ分周器ユニット（divide-by-n divider）であり、ｎは２より大きい整数である、請求項１７の装置。
【請求項２５】
一つまたはそれ以上の分周器ユニットの位相を同期させる方法を実行するための命令をそこに保持するコンピュータ読み取り可能な記憶媒体であって、
参照信号を供給するためにマスター分周器ユニットをパワーオン（powering on）することと、
前記マスター分周器ユニットからの前記参照信号に、スレーブ分周器ユニットの位相を同期させることと
を備え、前記同期させることは、前記参照信号を供給するために前記マスター分周器ユニットがパワーオンされた後、前記スレーブ分周器ユニットにパワーオンパルスを供給することと、
デジタル制御発振器を用いて、前記参照信号に前記スレーブ分周器ユニットの前記位相を同期させることと、
前記パワーオンパルスの立ち上がりエッジの後の第１の所定の遅延期間の後、前記スレーブ分周器ユニットをパワーオンすることと
を備え、前記スレーブ分周器ユニットをパワーオンすることは、前記スレーブ分周器ユニットに、動作するに十分な電圧を供給し、
前記記憶媒体は、前記同期させることの後、前記スレーブ分周器ユニットが前記参照信号と同期して動作するように前記スレーブ分周器ユニットがパワーオンの状態を維持しているときに、前記マスター分周器ユニットを低電力状態に切り替えることを更に備えるコンピュータ読み取り可能な記憶媒体。
【請求項２６】
複数のスレーブ分周器ユニットが設けられ、
前記同期させることは、前記複数のスレーブ分周器ユニットの他の一つまたはそれ以上について実行される、請求項２５のコンピュータ読み取り可能な記憶媒体。
【請求項２７】
前記パワーオンパルスの前記立ち上がりエッジの後の前記第１の所定の遅延期間は、前記スレーブ分周器ユニットの全ての分周器要素に電源投入（power up）し、そして前記スレーブ分周器ユニットを前記参照信号に同期させるために必要な期間である、請求項２５のコンピュータ読み取り可能な記憶媒体。
【請求項２８】
前記スレーブ分周器ユニットがパワーオンされ、そして前記参照信号に同期されることを確保するため、前記第１の所定の遅延期間の後の第２の所定の遅延期間の後、前記パワーオンパルスをオフさせること、
を更に備える請求項２５のコンピュータ読み取り可能な記憶媒体。
【請求項２９】
複数のスレーブ分周器ユニットが設けられ、
前記パワーオンパルスを供給すること、前記位相を同期させること、及び前記スレーブ分周器をパワーオンすることは、前記複数のスレーブ分周器ユニットの他の一つまたはそれ以上について実行される、請求項２５のコンピュータ読み取り可能な記憶媒体。
【請求項３０】
前記複数のスレーブ分周器ユニットの一つは、前記マスター分周器ユニットである、請求項２６のコンピュータ読み取り可能な記憶媒体。
【請求項３１】
前記スレーブ分周器ユニットは、２分周器ユニット（divide-by-2 divider）である、請求項２５のコンピュータ読み取り可能な記憶媒体。
【請求項３２】
前記スレーブ分周器ユニットは、ｎ分周器ユニット（divide-by-n divider）であり、ｎは２より大きい整数である、請求項２５のコンピュータ読み取り可能な記憶媒体。
【発明の詳細な説明】
【技術分野】
【０００１】
本開示は概してクロック同期化に関し、より具体的には、分周器ユニットの位相の低電力同期化に関する。
【背景技術】
【０００２】
デジタル回路は、種々の理由でクロッキング信号（clocking signal）を用いる。たとえば同期システムは、グローバルクロック信号を用いて、基板またはＩＣデバイス全体で、種々の回路を同期させる。
【０００３】
ほとんどのシステムは、第１クロック信号を生成する１つのクロック生成回路と、第１クロック信号から他のクロック信号を得るための専用回路とを使用する。例えば、入力クロック信号から低クロック周波数の１つまたはそれ以上のクロック信号を生成するために、クロック分周器が使用される。
【０００４】
例えば、温度計タイプのユニットベース設計（thermometer type unit-based design）の送信機アップコンバータ局部発振器（ＬＯ：Local Oscillator）分周器が使用され得る。このユニットベース分周器は、低出力電力のための優れたＬＯ電力消費だけでなく、優れたＬＯリーク及び利得制御ステップを提供する。そのような優れたＬＯ電力消費を有する分周器が、特に種々の変調システムにおいてより一般的となってきているpolar送信機において、ますます望まれている。しかしながら、その分周器ユニットの位相は同期されず、アップコンバータ出力電力は、電源投入（power up）の度に一定ではない。
【０００５】
例えば２つの分周器を有するアップコンバータ分周器では、同相電力（すなわちアップコンバータ出力からの大きさ）は６ｄＢ高いだろう。３つの分周器ユニットは、９．５ｄＢ高い大きさを提供するだろう。しかしながら、分周器ユニットの位相がずれるにつれて、これらの増大された電力の大きさは減少する。事実、もし２つの分周器ユニットが１８０°位相がずれた場合、それらの出力電力は完全に相殺されるだろう。
【０００６】
従来の符号分割多重アクセス（ＣＤＭＡ）システムによれば、携帯電話閉ループの送信電力は、基地局によって制御される。もし、携帯電話で必要な送信電力が予測不可能であれば、基地局からの電力決定は不正確でありまたは役に立たないであろう。
【発明の概要】
【０００７】
これより開示される実施形態は、添付図面と共に考慮する際に以下の詳細な説明への言及により容易に明らかになる更なる特長を提供することとともに、上記述べられた従来技術に存在する問題のひとつまたはそれ以上を解決することに向けられている。
【０００８】
本開示の一側面は、一つまたはそれ以上の分周器ユニットの位相を同期させる方法に向けられる。この方法は、参照信号を供給するために、マスター分周器ユニットをパワーオン（powering on）すること；及び、マスター分周器ユニットからの参照信号に、スレーブ分周器ユニットの位相を同期させること、を備える。
【０００９】
本開示の別の側面は、一つまたはそれ以上の分周器ユニットの位相を同期させる装置に向けられる。この装置は、参照信号を供給するマスター分周器ユニット；及び、マスター分周器ユニットからの参照信号に、その位相を同期させるスレーブ分周器ユニット、を備える。
【００１０】
本開示の更に別の側面は、一つまたはそれ以上の分周器ユニットの位相を同期させる装置に向けられる。この装置は、マスター分周器ユニットから参照信号を供給する手段；及び、マスター分周器ユニットからの参照信号に、スレーブ分周器ユニットの位相を同期させる手段、を備える。
【００１１】
本開示の更に別の側面は、一つまたはそれ以上の分周器ユニットの位相を同期させる方法を実行するための命令をそこに保持するコンピュータ読み取り可能な媒体に向けられる。この方法は、参照信号を供給するためにマスター分周器ユニットをパワーオンすること；及び、マスター分周器ユニットからの参照信号に、スレーブ分周器ユニットの位相を同期させること、を備える。
【００１２】
ある側面によれば、同期させることは、スレーブ分周器ユニットにパワーオンパルスを供給すること；デジタル制御発振器を用いて、参照信号にスレーブ分周器ユニットの位相を同期させること；及び、パワーオンパルスの立ち上がりエッジの後の第１の所定の遅延期間の後、スレーブ分周器ユニットをパワーオンすること、により実行される。
【００１３】
スレーブ分周器ユニットをマスター分周器ユニットからの参照信号に同期させることで、任意の数のスレーブ分周器ユニットがパワーオンされ、互いに同相とされ得る。
【００１４】
上記の概要及び以下の詳細な説明の両方は典型例であり、特許請求の範囲における構成要件の更なる説明を提供することを意図されていることが理解される。
【図面の簡単な説明】
【００１５】
本開示の特徴、本質、及び利点は、全体を通して同じ参照番号が対応するものを特定する図面と共に考慮される際に、以下で説明される詳細な説明から、より明らかになるだろう。
【図１】図１は、本開示のある側面に従った、マスター分周器ユニットと複数のスレーブ分周器ユニットとを用いた分周器ユニット同期化スキームの概略図である。
【図２】図２は、本開示のある側面に従った、１つまたはそれ以上の分周器ユニットの位相を同期させる方法を示すフローチャートである。
【図３】図３は、本開示のある側面に従った、スレーブ分周器ユニットの位相を参照信号に同期させる方法を示すフローチャートである。
【図４】図４は、本開示のある側面に従った、出力電力、パワーオンパルス、及びスレーブ分周器の遅延されたパワーオンの例図である。
【図５】図５は、本開示のある側面に従った、スレーブ分周器ユニット及びマスター分周器ユニットの概略図である。
【図６】図６は、本開示のある側面に従った、スレーブ分周器ユニットの参照信号への位相同期化の例図である。
【図７】図７は、本開示のある側面に従った、２つのスレーブ分周器の過渡応答シミュレーション図である。
【発明を実施するための形態】
【００１６】
下記の詳細な説明では、多くの具体的な詳細が、主題とする技術の完全な理解を与えるために説明される。しかしながら、これらの具体的な詳細のいくつか無しにこの主題となる技術を実施し得ることは、当業者には自明であろう。別の例では、既知の構造及び技術は、主題となる技術をあいまいにすることのないよう、詳細には示されていない。
【００１７】
用語“典型的（exemplary）”は、“例または例証である”ことを意味するために本明細書において使用される。“典型的”として本明細書で述べられた側面またはデザインは、他の側面またはデザインに対して好ましいまたは有利であるとは必ずしも解釈されない。
【００１８】
これより、添付図面で例が例示される主題となる技術の側面への詳細な言及がなされるだろう。ここで、全体を通して同じ参照番号は同じ要素を参照する。
【００１９】
本明細書に開示されたプロセスにおけるステップの具体的な順序または階層（hierarchy）は、典型的なアプローチの例であることが理解されるべきである。デザインの選択に基づき、プロセスの具体的な順序または階層は、本開示の範囲内に留まりつつ、再配置されても良いことが理解される。添付の方法の請求項は、サンプルとなる順序での種々のステップの要素を与え、そして与えられた具体的な順序または階層に限定されると意味されるものではない。
【００２０】
図１は、本開示のある側面に従った、マスター分周器ユニットと複数のスレーブ分周器ユニットを用いた、分周器ユニット同期化スキームの概念図である。この典型的な概略図では、スレーブ分周器ユニット２０（０）〜２０（７）が示されているが、本開示は特定の数のスレーブ分周器ユニットに限定されるものではない。ある側面によれば、マスター分周器１０は、各スレーブ分周器ユニット２０（０）〜２０（７）にそれぞれ参照信号（図示せず）を出力する。マスター分周器１０は、優れた位相ノイズを有する高性能分周器である必要はない。マスター分周器１０は例えば、マスタークロック位相を供給しつつ電力をセーブする従来の低電力分周器であってよい。更に当業者は、スレーブ分周器ユニット２０（０）〜２０（７）のひとつがマスター分周器１０として機能してよく、そして各スレーブ分周器ユニット２０（０）〜２０（７）に送信するための参照信号を生成してもよいことを理解するだろう。
【００２１】
スレーブ分周器ユニット２０（０）〜２０（７）の各電力制御（power controls）３０（０）〜３０（７）は、スレーブ分周器ユニット２０（０）〜２０（７）の位相がマスター分周器１０から出力される参照信号に同期されるまでスレーブ分周器ユニット２０（０）〜２０（７）を動作させるよう、パワーオン（powered on）される。図５及び６を参照してさらなる詳細が議論されるように、デジタル（または電圧）制御発振器（ＤＣＯ）５０からの発振信号は、各スレーブ分周器ユニット２０（０）〜２０（７）に入力され、そしてスレーブ分周器ユニット２０（０）〜２０（７）により、それらの各位相を参照信号に同期させるために使用される。
【００２２】
各スレーブ分周器ユニット２０（０）〜２０（７）がマスター分周器１０からの参照信号に同期された後、各スレーブ分周器ユニット２０（０）〜２０（７）は、その各電力制御３０（０）〜３０（７）を用いて遅れてパワーオンされる。その後マスター分周器１０は、電力をセーブするために低電力状態に変化し得る。そして同期されたスレーブ分周器ユニット２０（０）〜２０（７）は、例えば生成されたクロックを各ミキサユニット４０（０）〜４０（７）に出力し得る。もちろん、生成されたクロック信号は種々のアプリケーションで使用されることが出来、本開示は特定の使用に限定されるものではない。
【００２３】
各パワーオンされたスレーブ分周器ユニット２０（０）〜２０（７）は、マスター分周器１０によって生成された一定の参照信号と同期されている（すなわち同相）ので、各スレーブ分周器ユニット２０（０）〜２０（７）は同様に互いに同相ということになるだろう。
【００２４】
図２は、本開示のある側面に従った、一つまたはそれ以上の分周器ユニットの位相を同期させる方法を示すタイミングチャートである。動作２００において、マスター分周器１０がパワーオン（powered on）され、これによりスレーブ分周器ユニット２０（０）〜２０（７）の１つまたはそれ以上に参照信号を供給する。動作２００から、処理は動作２１０へ変わる。動作２１０において、少なくとも１つの分周器ユニット２０（０）〜２０（７）の位相が、マスター分周器１０で生成された参照信号に同期される。
【００２５】
ある側面によれば、動作２１０から処理は動作２２０へ変わり、１つまたはそれ以上のスレーブ分周器２０（０）〜２０（７）が参照信号に同期されそしてセルフフィードバック法（self-feedback fashion）によりそれら自身を動作するようにパワーオンされた後に、マスター分周器１０は低電力状態に変化する。
【００２６】
図３は、本開示のある側面に従った、図２の動作２１０で実行される、スレーブ分周器ユニットの位相を参照信号に同期させる方法を示すフローチャートである。図３は図４とともに以下で議論され、図４は、本開示のある側面に従った出力電力、パワーオンパルス、及びスレーブ分周器ユニット２０（０）〜２０（７）の遅延されたパワーオンの例図である。
【００２７】
動作３００では、パワーオンパルス４１０（図４参照）がスレーブ分周器ユニット２０（０）〜２０（７）に与えられる。パワーオンパルス４１０は、特定のスレーブ分周器ユニット２０（０）〜２０（７）の動作が要求された際に、ユーザ（図示せず）による一般的な方法を用いてイニシエイトされ得る。
【００２８】
動作３００から処理は動作３１０に変わり、動作３１０では、スレーブ分周器ユニット２０（０）〜２０（７）の位相が、ＤＣＯ５０を用いて参照信号に同期される。ＤＣＯ５０を用いた同期化は、図５及び６を参照して以下で更に詳細に説明される。
【００２９】
動作３１０から処理は動作３２０に変わり、動作３２０では、第１の所定の遅延期間δＴ１の後（図４参照）、遅延されたパワーオン信号４２０（図４参照）が、スレーブ分周器ユニット２０（０）〜２０（７）で発生する。ある側面によればδＴ１は、スレーブ分周器ユニット２０（０）〜２０（７）のすべての要素に電源を入れる（power up）するのに十分な時間であって、そしてスレーブ分周器ユニット２０（０）〜２０（７）の位相が参照信号に同期されるのに十分な時間を割り当てつつ、可能な限り短くされ得る。一例として、δＴ１は２または３個（またはそれ以上）のＤＣＯ５０周期に必要な時間であって良い。もちろん、本開示の範囲から逸脱しない範囲で、十分なδＴ１が使用されてよい。
【００３０】
動作３２０から処理は動作３３０に変わり、動作３３０では、例えば第２の所定の遅延期間δＴ２の後（図４参照）、パワーオンパルス４１０はゲートオフ（gated off）される。δＴ２は、パワーオンパルス４１０が遅延されたパワーオン４２０とオーバーラップするバッファ期間である。このオーバーラップにより、スレーブ分周器ユニット２０（０）〜２０（７）がその各電力制御３０（０）〜３０（７）によって完全に起動され、マスター分周器１０からの参照信号と同相で動作していることを確実にできる。この時点で、スレーブ分周器ユニット２０（０）〜２０（７）が、そのセルフフィードバック機能を用いて、参照信号に同期されたその位相を維持するであろうから、マスター分周器１０は、電力をセーブするための低電力状態に変化し得る。δＴ２は、マスター信号をスレーブ分周器の周囲をループ（loop around）させるため十分なオーバーラップが与えられることを確実にするよう、わずかなＤＣＯ５０周期であってよい。例えば、２分周器（divide-by-2 divider）の具体的なケースでは、同期のために最低限、ちょうど２つのＤＣＯ５０周期で十分であり得る。これは、スピードが重視されるデータアプリケーションにおいて重要な、非常に高速の同期方法を提供する。もちろん、本開示から逸脱しない範囲で、十分なδＴ２が使用されてもよい。
【００３１】
図５は、本開示のある側面に従った、典型的なスレーブ分周器２０（０）及びマスター分周器１０の概略図である。図５は、２分周のユニット分周器の例を示しているが、当業者は、本開示の範囲を逸脱することなく、あらゆる比率（例えば、２、３、４、５、６など）でＤＣＯ５０信号を分周できるユニット分周器が同様にして設計され実装され得ることを理解するだろう。図５は、本開示のある側面に従った、スレーブ分周器ユニット２０（０）の位相同期化の例図である図６と共に議論される。図５及び６（図７と同様に）に示される例が、２分周器を例示することに留意する。しかしながら当業者は、同様の技術が例えば４分周器（またはその他のあらゆる分周比）を同期させるために実装され得ることを理解するだろう。
【００３２】
領域１においてマスター分周器１０がパワーオンされ（高電力状態に変わる）、そして参照信号ＤＣＯｒ５０が入力されると、点Ａ”における信号はＤＣＯｒによりlowとなる。インバータを通った後、点Ｂ”において信号はhighとなる。発振参照信号ＤＣＯｒ５０は、点Ｃ”においてこの信号をオフセットする。インバータを通った後、この信号は点Ｄ”においてlowである。ＤＣＯｒは、点Ｅ”においてこの信号にオフセットさせ、そしてインバータは、点Ｆ”（点Ａ”と同じになる）で信号を反転させる。この点Ａ”（Ｆ”）の信号が、マスター分周器１０から出力された参照信号となる。
【００３３】
図５は、領域２におけるゲーティング（gating）特性５００を含み、これはパワーオンパルス４１０によって動作されてスレーブ分周器ユニット２０（０）との接続をクローズし、これにより参照信号Ｇをスレーブ分周器ユニット２０（０）に送信させる。本開示のある側面によれば、ＤＣＯ５０は、パワーオンパルス４１０の後でゲートオフ（gated off）され得る。領域２では、マスター分周器１０の出力は、ＤＣＯ５０と同期され得る。よって、領域１の参照信号ＤＣＯｒ５０の位相は、領域２及び３のＤＣＯ５０と同じである必要はない。マスター分周器１０におけるオフセットは、領域２のＤＣＯ５０に基づいて訂正される。もちろん、ゲーティング特性５００は単なる一例であり、本開示の範囲を逸脱することなく、他の替わりうるゲーティング特性（またはゲーティング特性を有しなくても良い）が実装されてもよい。
【００３４】
領域２がパワーオンパルス４１０によってクローズされている際（すなわち、スレーブ分周器ユニット２０（０）への接続がクローズされている際）、点Ａ’でのマスター分周器１０から入力される信号はインバータをパススルーして、点Ｂ”で反転される。発振信号ＤＣＯ５０は、点Ｃ”において信号をオフセットし、これは点Ｄ”で反転される。発振参照信号ＤＣＯ５０は、点Ｅ”で再度信号をオフセットし、これは点Ｇ”で反転される。点Ｇ”の信号は、スレーブ分周器ユニット２０（０）が最終的に例えば点Ｆ（すなわち、点Ｆ及びＧは、遅延されたパワーオン４２０が実行される前に同期される）で同期される参照信号である。
【００３５】
図５及び６の例に示すように、パワーオンパルス４１０がスレーブ分周器ユニット２０（０）に与えられると、領域３において、点Ｇでの信号が点Ａでスレーブ分周器２０（ａ）に入力され、これは例えばlowである。この信号はインバータを通って進み、これは点Ｂにおいて信号をhighにさせる。発振参照信号ＤＣＯ５０は、点Ｃで信号をオフセットし、これはインバータを通って進み、これは点Ｄにおいて信号をlowにさせる。最後に、点Ｅにおいて信号はＤＣＯ５０により再度オフセットされ、そしてインバータを通って進み、これにより点Ｆで信号はlowとなる。もちろん、上記は、マスター及びスレーブ分周器ユニットを用いたある典型的な同期システムを述べているが、特許請求の範囲に記載された発明の範囲を逸脱することなくその他の方法及びシステムが実施されても良い。
【００３６】
時刻ｔ０において、点Ｆの信号は参照信号Ｇと同期され、これは第１の所定の遅延期間δＴ１内にあり、スレーブ分周器ユニット２０（０）で遅延されたパワーオン信号４２０がその時間で生じる。パワーオンパルス４１０は、スレーブ分周器ユニット２０（０）が自ら電力を供給し（self-powered）マスター分周器１０からの参照信号Ｇと同相で動作していることを確実にするために十分なオーバーラップがあるため、δＴ２の後にゲートオフされ得る。スレーブ分周器ユニット２０（０）は、パワーオンパルス４１０がゲートオフされた後、スレーブ分周器ユニット２０（０）がパワーオフされるまで、その分周位相を維持する。
【００３７】
先の議論はスレーブ分周器ユニット２０（０）の参照信号Ｇへの同期化に関するが、同様の動作がスレーブ分周器ユニット２０（１）〜２０（７）にも実施され得る。各スレーブ分周器ユニット２０（０）〜２０（７）が参照信号Ｇに同期すると、参照信号Ｇは全てのスレーブ分周器ユニット２０（０）〜２０（７）に一定であるので、各スレーブ分周器ユニット２０（０）〜２０（７）は互いに同様に同期される。
【００３８】
図７は、本開示のある側面に従った、２つのスレーブ分周器ユニット２０（０）及び２０（１）の過渡応答シミュレーションプロットである。プロット７００（０）及び７００（１）は、それぞれ２つのスレーブ分周器ユニット２０（０）及び２０（１）の過渡応答を示す。もちろん、本開示は特定の数のスレーブ分周器ユニットに限定されず、単なる例として２つが示されている。
【００３９】
パワーオンパルス７１０（０）は第１スレーブ分周器ユニット２０（０）で与えられ、そしてパワーオンパルス７１０（１）は第２スレーブ分周器ユニット２０（１）で与えられる。時刻ｔ０でスレーブ分周器ユニット２０（０）は、マスター分周器からの参照信号と同期される。第１の所定の遅延期間δＴ１は、少なくともスレーブ分周器ユニット２０（０）が同期されるのに必要なだけ延びることに留意する。δＴ１の終わりにおいて、遅延パワーオン７２０（０）がスレーブ分周器ユニット２０（０）につき実行される。遅延パワーオン７２０（０）後の第２の所定の時間δＴ２、パワーオンパルス７１０（０）はゲートオフされる。第２スレーブ分周器ユニット２０（１）の同期化は、パワーオンパルス７１０（１）及び遅延パワーオン７２０（１）を用いて同様に行われる。
【００４０】
各遅延パワーオン７２０（０）及び７２０（１）は、ユーザが各スレーブ分周器ユニット２０（０）及び２０（１）が動作することを要求する限りhighである。本明細書で述べられた処理は、ユーザが各スレーブ分周器２０（０）及び２０（１）の動作を要求する度に繰り返される。
【００４１】
スレーブ分周器ユニットをマスター分周器ユニットからの参照信号に同期させることにより、任意の数のスレーブ分周器ユニットがパワーオンされ互いに同相とされ得る。更に、同期化によりパワーオフされ得る低電力マスター分周器を参照として用いることで、スレーブ分周器ユニットを同期させるのに僅かな電力のみが求められる。
【００４２】
当業者は、情報及び信号が任意の様々な異なる技術及び技法を使用して表されることを理解するであろう。例えば、上述の至る所で参照され得るデータ、指示、命令、情報、信号、ビット、シンボル、及びチップは、電圧、電流、電磁波、磁場または粒子、光学場または粒子、またはその任意の組合せによって表され得る。
【００４３】
当業者は、本明細書に開示された実施形態に関連して述べられた様々な例示のモジュール、回路、及びアルゴリズムが、電子ハードウェア、コンピュータソフトウェア、または双方の組合せとして実施され得ることを認識するであろう。ハードウェア及びソフトウェアのこの互換性を明確に例証するために、様々な例示の要素部品、ブロック、モジュール、回路、及びステップは、一般にそれらの機能に関して上で述べられてきた。そのような機能がハードウェアまたはソフトウェアとして実施されるか否かは、特定のアプリケーション及びシステム全体に課せられた設計制限に依存する。当業者は、記述した機能を特定の各アプリケーションのために様々な方法で実施するかもしれないが、そのような実施決定は本開示の範囲から逸脱するものと解釈されるべきでない。
【００４４】
本明細書に開示された実施形態に関連して述べた様々な例示の論理ブロック、モジュール、及び回路は、本明細書で述べた機能を実行するために設計された汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、ディスクリートゲートまたはトランジスタ論理、ディスクリートハードウェア部品、またはその任意の組合せによって実装または実行され得る。汎用プロセッサは、マイクロプロセッサであって良いが、これに代るものでは、プロセッサは任意の従来のプロセス、コントロール、マイクロコントローラ、またはステートマシンであり得る。プロセスはまた、計算デバイスの組合せ、例えば、ＤＳＰとマイクロプロセッサの組合せ、複数のマイクロプロセッサ、ＤＳＰコアと連係した１つまたはそれ以上のマイクロプロセッサ、または他の任意のそのような構成として実施され得る。
【００４５】
１つまたはそれ以上の典型的な実施形態では、述べられた機能はハードウェア、ソフトウェア、ファームウェア、またはその任意の組合せで実装され得る。ソフトウェアで実装される場合、それらの機能は１つまたはそれ以上の命令またはコードとして、コンピュータ読み取り可能な媒体に記憶され、或いは伝送され得る。コンピュータ読み取り可能な媒体は、コンピュータ記憶メディアを含み得る。記録媒体は、コンピュータによってアクセスできる任意の利用可能な媒体であって良い。例として、これに限定するもので無いものとして、このようなコンピュータ読み取り可能な媒体は、ＲＡＭ、ＲＯＭ、ＥＥＰＲＯＭ、ＣＤ−ＲＯＭまたは光ディスク記憶装置、磁気ディスク記憶装置または他の磁気記録デバイス、または命令またはデータ構造の形で所望のプログラムコードを搬送または保持するために使用され、そしてコンピュータによってアクセスできる他の任意の媒体を含むことが出来る。本明細書で使用されるディスク（disk and disc）は、コンパクトディスク（ＣＤ）、レーザーディスク（登録商標）、光学ディスク、デジタルバーサタイルディスク（ＤＶＤ）、フロッピー（登録商標）ディスク、及びブルーレイディスクを含み、ディスク（disk）は、一般的に、磁気によってデータを再生し、ディスク（disc）はレーザによって光学的にデータを再生する。上記の組合せもまたコンピュータ読み取り可能な媒体の範囲内に含まれるべきである。
【００４６】
開示された側面の上記説明は、当業者に本発明の製造及び使用を可能にするために与えられる。これらの側面の種々の変形が、当業者には容易に明白であろう。そして本明細書で定義された包括的な原理は、この開示から逸脱することなく、その他の側面に適用され得る。よって、この開示は、本明細書に示された側面に限定することを意図したものではないが、本明細書で開示された新規な特徴と原理に一致する最も広い範囲に許容される。
以下に、本願の出願当初の特許請求の範囲を付記する。
[1]一つまたはそれ以上の分周器ユニットの位相を同期させる方法であって、
参照信号を供給するためにマスター分周器ユニットをパワーオン（powering on）することと、
前記マスター分周器ユニットからの前記参照信号に、スレーブ分周器ユニットの位相を同期させることとを備える方法。
[2]前記同期させることは、前記スレーブ分周器ユニットにパワーオンパルスを供給することと、
デジタル制御発振器を用いて、前記参照信号に前記スレーブ分周器ユニットの前記位相を同期させることと、
前記パワーオンパルスの立ち上がりエッジの後の第１の所定の遅延期間の後、前記スレーブ分周器ユニットをパワーオンすることとを備える[1]の方法。
[3]複数のスレーブ分周器ユニットが設けられ、
前記同期させることは、前記複数のスレーブ分周器ユニットの他の一つまたはそれ以上について実行される、[1]の方法。
[4]前記パワーオンパルスの前記立ち上がりエッジの後の前記第１の所定の遅延期間は、前記スレーブ分周器ユニットの全ての分周器要素に電源投入（power up）し、そして前記スレーブ分周器ユニットを前記参照信号に同期させるために必要な期間である、[2]の方法。
[5]前記スレーブ分周器ユニットがパワーオンされ、そして前記参照信号に同期されることを確保するため、前記第１の所定の遅延期間の後の第２の所定の遅延期間の後、前記パワーオンパルスをオフさせること、を更に備える[2]の方法。
[6]複数のスレーブ分周器ユニットが設けられ、
前記パワーオンパルスを供給すること、前記位相を同期させること、及び前記スレーブ分周器をパワーオンすることは、前記複数のスレーブ分周器ユニットの他の一つまたはそれ以上について実行される、[2]の方法。
[7]前記同期させることの後、前記マスター分周器ユニットを低電力状態に切り替えること、を更に備える[1]の方法。
[8]前記複数のスレーブ分周器ユニットの一つは、前記マスター分周器ユニットである、[3]の方法。
[9]前記スレーブ分周器ユニットは、２分周器ユニット（divide-by-2 divider）である、[1]の方法。
[10]前記スレーブ分周器ユニットは、ｎ分周器ユニット（divide-by-n divider）であり、ｎは２より大きい整数である、[1]の方法。
[11]一つまたはそれ以上の分周器ユニットの位相を同期させる装置であって、
参照信号を供給するマスター分周器ユニットと、
前記マスター分周器ユニットからの前記参照信号に、その位相を同期させるスレーブ分周器ユニットとを備える装置。
[12]前記スレーブ分周器ユニットにパワーオンパルスを供給する電源と、
前記参照信号に前記分周器ユニットの前記位相を同期させるデジタル制御発振器と、
前記パワーオンパルスの立ち上がりエッジの後の第１の所定の遅延期間の後、前記分周器ユニットをパワーオンする電源とを更に備える[11]の装置。
[13]複数のスレーブ分周器ユニットが設けられ、
前記複数のスレーブ分周器ユニットの他の一つまたはそれ以上は、その位相を、前記マスター分周器ユニットからの前記参照信号に同期させる、[11]の装置。
[14]前記パワーオンパルスの前記立ち上がりエッジの後の前記第１の所定の遅延期間は、前記スレーブ分周器ユニットの全ての分周器要素に電源投入（power up）し、そして前記スレーブ分周器ユニットを前記参照信号に同期させるために必要な期間である、[12]の装置。
[15]前記パワーオンパルスは、前記スレーブ分周器ユニットがパワーオンされ、そして前記参照信号に同期されることを確保するため、前記第１の所定の遅延期間の後の第２の所定の遅延期間の後、オフされる、[12]の装置。
[16]複数のスレーブ分周器ユニットが設けられ、
前記複数のスレーブ分周器ユニットの他の一つまたはそれ以上は、その位相を、前記マスター分周器ユニットからの前記参照信号に同期させる、[12]の装置。
[17]前記同期の後、前記マスター分周器ユニットを低電力状態に切り替える電源を更に備える、[11]の装置。
[18]前記複数のスレーブ分周器ユニットの一つは、前記マスター分周器ユニットである、[13]の装置。
[19]前記スレーブ分周器ユニットは、２分周器ユニット（divide-by-2 divider）である、[11]の装置。
[20]前記スレーブ分周器ユニットは、ｎ分周器ユニット（divide-by-n divider）であり、ｎは２より大きい整数である、[11]の装置。
[21]一つまたはそれ以上の分周器ユニットの位相を同期させる装置であって、
参照信号を供給するためにマスター分周器ユニットをパワーオン（powering on）する手段と、
前記マスター分周器ユニットからの前記参照信号に、スレーブ分周器ユニットの位相を同期させる手段とを備える装置。
[22]前記同期させる手段は、前記スレーブ分周器ユニットにパワーオンパルスを供給する手段と、
デジタル制御発振器を用いて、前記参照信号に前記スレーブ分周器ユニットの前記位相を同期させる手段と、
前記パワーオンパルスの立ち上がりエッジの後の第１の所定の遅延期間の後、前記スレーブ分周器ユニットをパワーオンする手段とを備える[21]の装置。
[23]複数のスレーブ分周器ユニットが設けられ、
前記同期させる手段は、前記複数のスレーブ分周器ユニットの他の一つまたはそれ以上について実装される、[21]の装置。
[24]前記パワーオンパルスの前記立ち上がりエッジの後の前記第１の所定の遅延期間は、前記スレーブ分周器ユニットの全ての分周器要素に電源投入（power up）し、そして前記スレーブ分周器ユニットを前記参照信号に同期させるために必要な期間である、[22]の装置。
[25]前記スレーブ分周器ユニットがパワーオンされ、そして前記参照信号に同期されることを確保するため、前記第１の所定の遅延期間の後の第２の所定の遅延期間の後、前記パワーオンパルスをオフさせる手段、を更に備える[22]の装置。
[26]複数のスレーブ分周器ユニットが設けられ、
前記パワーオンパルスを供給する手段、前記位相を同期させる手段、及び前記スレーブ分周器をパワーオンする手段は、前記複数のスレーブ分周器ユニットの他の一つまたはそれ以上について実装される、[22]の装置。
[27]前記同期の後、前記マスター分周器ユニットを低電力状態に切り替える手段、を更に備える[21]の装置。
[28]前記複数のスレーブ分周器ユニットの一つは、前記マスター分周器ユニットである、[23]の装置。
[29]前記スレーブ分周器ユニットは、２分周器ユニット（divide-by-2 divider）である、[21]の装置。
[30]前記スレーブ分周器ユニットは、ｎ分周器ユニット（divide-by-n divider）であり、ｎは２より大きい整数である、[21]の装置。
[31]一つまたはそれ以上の分周器ユニットの位相を同期させる方法を実行するための命令をそこに保持するコンピュータ読み取り可能な媒体であって、
参照信号を供給するためにマスター分周器ユニットをパワーオン（powering on）することと、
前記マスター分周器ユニットからの前記参照信号に、スレーブ分周器ユニットの位相を同期させることとを備えるコンピュータ読み取り可能な媒体。
[32]前記同期させることは、前記スレーブ分周器ユニットにパワーオンパルスを供給することと、
デジタル制御発振器を用いて、前記参照信号に前記スレーブ分周器ユニットの前記位相を同期させることと、
前記パワーオンパルスの立ち上がりエッジの後の第１の所定の遅延期間の後、前記スレーブ分周器ユニットをパワーオンすることとを備える[31]のコンピュータ読み取り可能な媒体。
[33]複数のスレーブ分周器ユニットが設けられ、
前記同期させることは、前記複数のスレーブ分周器ユニットの他の一つまたはそれ以上について実行される、[31]のコンピュータ読み取り可能な媒体。
[34]前記パワーオンパルスの前記立ち上がりエッジの後の前記第１の所定の遅延期間は、前記スレーブ分周器ユニットの全ての分周器要素に電源投入（power up）し、そして前記スレーブ分周器ユニットを前記参照信号に同期させるために必要な期間である、[32]のコンピュータ読み取り可能な媒体。
[35]前記スレーブ分周器ユニットがパワーオンされ、そして前記参照信号に同期されることを確保するため、前記第１の所定の遅延期間の後の第２の所定の遅延期間の後、前記パワーオンパルスをオフさせること、
を更に備える[32]のコンピュータ読み取り可能な媒体。
[36]複数のスレーブ分周器ユニットが設けられ、
前記パワーオンパルスを供給すること、前記位相を同期させること、及び前記スレーブ分周器をパワーオンすることは、前記複数のスレーブ分周器ユニットの他の一つまたはそれ以上について実行される、[32]のコンピュータ読み取り可能な媒体。
[37]前記同期させることの後、前記マスター分周器ユニットを低電力状態に切り替えること、を更に備える[31]のコンピュータ読み取り可能な媒体。
[38]前記複数のスレーブ分周器ユニットの一つは、前記マスター分周器ユニットである、[33]の方法。
[39]前記スレーブ分周器ユニットは、２分周器ユニット（divide-by-2 divider）である、[31]のコンピュータ読み取り可能な媒体。
[40]前記スレーブ分周器ユニットは、ｎ分周器ユニット（divide-by-n divider）であり、ｎは２より大きい整数である、[31]のコンピュータ読み取り可能な媒体。
【図１】
0005571068.tif 000002
【図２】
0005571068.tif 000003
【図３】
0005571068.tif 000004
【図４】
0005571068.tif 000005
【図５】
0005571068.tif 000006
【図６】
0005571068.tif 000007
【図７】
0005571068.tif 000008